(57)【要約】  本発明は扉の様な開口部の少なくとも一部を飾り立てるまたは覆うことができる装置に関する。  この装置はしなやかな素材（Ｚ）、およびしなやかな素材を異なる扉の高さに適用するために調整可能なスリーブを形づくり同時に良好な扉の開閉操作を可能とする結合手段（Ｅ、Ｆ）を含む。
2008544117.tif 000002
【特許請求の範囲】
【請求項１】
扉のような開口部の少なくとも一部を飾り立てるまたは覆うことを可能にする装置で、これが柔軟性素材（Ｚ）および柔軟性素材をスリーブの形状に構成して異なる扉の高さに対応できる様に調整可能にし、同時に良好な扉の開閉操作も可能とする結合手段を備えることを特徴とする、扉のような開口部の少なくとも一部を飾り立てるまたは覆うことを可能にする装置。
【請求項２】
結合手段が素材の一方の端の部分に位置する小穴（Ｆ）および素材の他方の端の部分に位置するリボン（Ｅ）を含むことを特徴とする、請求項１に記載の装置。
【請求項３】
小穴およびリボンが直線的かつ横断的に配置されていることを特徴とする、請求項２に記載の装置。
【請求項４】
小穴のそれぞれがリボン（Ｇ）と関連し、スリーブを閉じるために他端域にあるリボンと結ばれることを意図していることを特徴とする、請求項２または３の一方に記載の装置。
【請求項５】
結合手段がベルクロ（ＶｅｌｃｒｏＴＭ ）のテープ状のフックとループ（ＯおよびＰ）結合手段から構成されることを特徴とする、請求項１に記載の装置。
【請求項６】
結合手段が一連のボタンとボタン穴から構成されることを特徴とする、請求項１に記載の装置。
【請求項７】
結合手段が一連のスナップボタンから構成されることを特徴とする、請求項１に記載の装置。
【請求項８】
素材は伸縮性でスリーブを形作るように縫合されていることを特徴とする、請求項１に記載の装置。
【請求項９】
結合手段に接着剤が含まれることを特徴とする、請求項１に記載の装置。
【請求項１０】
結合手段が素材の一方の端部に取り付けられた一連の帯状の紐、およびこの帯状の紐に設けられた穴にかみ合わせることを意図した舌状物を持つ対応する一連の環を含み、この環は素材の反対側の端部に設けられていることを特徴とする、請求項１に記載の装置。
【請求項１１】
しなやかな素材がスリーブの形を形作る様に前記の結合手段により２つずつ接続される一連のパネル（Ｙ、Ｙ’）の形に作られていることを特徴とする、請求項１から１０のいずれかに記載の装置。
【発明の詳細な説明】
【技術分野】
【０００１】
本発明は住宅の室内装飾または改修に関する。
より具体的には、本発明は住居またはマンションの扉を飾り立てることを意図したスリーブ状に作られる扉カバーに関する。しかしながら、本発明はすべてのタイプの開口部を飾り立てることに広く対応している。とはいえ、以下においては、本発明は扉を飾り立てるために用いるものとみなされている。
かくして本発明の目的は我々の居住環境で多くの場合無視される要素である「扉」を飾り立てるための需要に応えるものである。
【背景技術】
【０００２】
従来の技術において、扉、または広義に開口部を飾り立てることができる様々なタイプのカバーが存在する。
この点において、車庫の扉の化粧について記載している米国特許第５８３９２３７号の文献を参照することができる。
しかしながら、従来技術、とりわけ米国特許第５８３９２３７号の文献においては、扉の２面のうち一方のみを化粧することを意図しているため、開口部の互いに背中合わせになっている両面を覆うカバーの形には作られていない。
【発明の開示】
【発明が解決しようとする課題】
【０００３】
本発明の目的はしたがって従来技術によるカバーの欠点を改善することにある。
したがって本発明の目的は扉の両面を同時に覆うことができる扉の化粧を提供することにある。
本発明の別の目的はその様な化粧の取り付けが容易で低価格で製造することができる、単純な構造で提供することにある。
【０００４】
したがって本発明の主題は、扉の様な開口部の少なくとも一部を飾り立てるまたは覆うことができる装置で、これがしなやかな素材、およびこのしなやかな素材を異なる扉の高さに適応させ同時に良好な扉の開閉作業を可能にする調整可能なスリーブの形に構成することに適した結合手段を含むことを特徴とする。
【課題を解決するための手段】
【０００５】
かくしてこの装置は扉の周りのスリーブとして作用し、スリーブの取り付けにネジ、釘または接着剤式の強引な取り付け手段を必要としないため、扉を損なうことなしにこの両面を飾ることを可能にする。
スリーブ用の素材は開閉操作を妨げることなく扉の両面を飾るために、十分に薄い素材が選ばれることが好ましい。
【０００６】
別の実施形態において本発明は、以下の機能を単独でまたは技術的に可能なすべての組み合わせでさらに含むことができる：
−  結合手段には素材の一方の端部域に設けた小穴および素材の他方の端部域に設けたリボンが含まれる；
−  小穴およびリボンは直線的にかつ横方向に配置されている；
−  小穴はそれぞれ、スリーブを閉じるために他方の端部域のリボンと結ばれることを意図したリボンに付随している；
−  結合手段は、ＶｅｌｃｒｏＴＲのテープ状の、フックとループ結合手段から構成される；
−  結合手段は一連のボタンとボタン穴から構成される；
−  結合手段は一連のスナップボタンから構成される；
−  素材には弾力性があり縫合されてスリーブを形作っている；
−  結合手段は一つ以上の粘着帯から構成される、および
−  結合手段が素材の一方の端部に取り付けられた一連の帯状の紐、およびこの帯状の紐に設けられた穴にかみ合わせることを意図した舌状物を持つ一連の対応する環を含み、この環は素材の反対側の端部に設けられている。
しなやかな素材は前記の結合手段により２つずつ接続してスリーブを形成する様に一連の布片の形に作られている。
【発明を実施するための最良の形態】
【０００７】
図１に示す様に、扉カバーＨは一片の長方形のしなやかな素材Ｚの形をし、カバーを扉の周りにぴったり添う連続的なスリーブの形にするのに適した調節可能な結合手段を備えている。この素材は考えられている用途に適した種類の素材、例えば綿、ジャージー、その他で作ることができる。しかしながら特定の用途においては、使い捨てのカバーを作るためにこの素材は例えばポリエチレンまたはＥＶＡ（エチレン／ビニルアセテート）の不織素材で作ることも可能であることを付記しておく。
【０００８】
図の中の長方形の形は単に説明用のもので、素材Ｚが扉の２つの高さを少なくとも部分的にでも覆える様な連続的なスリーブを扉の周りに形作れる他のすべての幾何学的な要素に置き換えることが可能であることを付記しておく（図２および３）。
素材Ｚは標準的な扉ほどには幅広くない。
かくして当スリーブを用いるためには、素材Ｚを扉の周りに巻き、次いでこの織物をスリーブが完璧に扉の外形に合う様に調整可能な結合手段により調節するだけでよい。
【０００９】
本発明は装置が所定位置にある場合にそれぞれ扉の表側、裏側に相当するＡ面およびＢ面として表現することができる。
つまり、装置は第１および第２の２つのゾーンで構成され、それらはそれ自体がそれぞれ扉の表側面および裏側面に対して平らになる様に意図されている、と同時に２つの互いに背中合わせの面の一方は自ら扉面にへばりつき他方は目に見えるカバーの外側面を構成する、と言い換えることができる。
【００１０】
図２を参照すると、外側面Ａ上で素材に装飾Ｉ（図１）が施されている。図の装飾Ｉは単なる説明用のもので他のどのような装飾的な要素にも置き換えることができる。この装飾はセリグラフ、デジタル化、縫いつけ、描画、刺繍アプリケ、生地に織り込んだものなどであってもよい。これは長方形の全面にまたは一部のみに施すことができる。
カバーの結合系は裏側面Ｂ、つまりカバーの内側面に位置する。結合系の実施形態にいては、結合は紐（またはリボン）で結び目を作ることにより得られる（図１）。
【００１１】
かくして紐Ｅの並びが長方形の端部に幅方向、つまり長方形を横断する方向３、に直線的に縫いつけられている。素材Ｚの長さは扉の高さの２倍よりも長い。これがフラップＡ’を形成する。長方形の内側面Ｂの、フラップＡ’の端部に直線的に小穴Ｆの列が設けられその数はＺの他端に位置する紐Ｅの数に対応しさらにそれぞれの小穴の下に紐Ｇが縫いつけられている。それぞれの紐Ｅは横方向に小穴Ｆに対応し、この小穴Ｆを通って紐Ｇと結ばれる。これにより紐Ｅを引っぱるだけで装置を扉のサイズに調整できる。
【００１２】
変形型として、結合手段には次のものがある：
ａ−  Ｖｅｌｃｒｏタイプの結合（図４、５および６）
素材Ｚ上の、表側面Ａ上にＶｅｌｃｒｏＴＭ テープＯの列がフラップＡ’上に縫いつけまたは貼りつけられていて、これらのＶｅｌｃｒｏＴＭ 帯は長方形Ｚの長手縁４および５に対して平行である。素材Ｚの裏側面Ｂ上にはＶｅｌｃｒｏＴＭ テープＰが長方形Ｚの端部３に縫いつけられる。素材Ｚは長手方向に扉に巻き付けられＶｅｌｃｒｏのオス部およびメス部がくっついてカバーの結合を確保することによりスリーブを形作る。ＶｅｌｃｒｏテープＯの長さにより異なる扉の高さに対応することができる。
【００１３】
ｂ−  ボタンおよびボタン穴タイプの結合（図７および８）
カバーＺ上のフラップＡ’の高さに何列かのボタン穴Ｎが長方形Ｚの長手方向縁４および５に平行に縫いつけられている。長方形の生地Ｚの横側端３にはボタンＭの列が縫いつけられている。それから素材Ｚは扉（図８）の周りに長手方向に巻きつけられる。ボタン穴にボタンを掛けるだけでカバーを閉じスリーブを形作ることができる。種々の高さのボタン穴によりカバーを種々の高さの扉に調整することができる。
【００１４】
ｃ−  圧力による結合（図９および１０）
長方形の生地Ｚの表側面のフラップＡ’上に縁４および５に平行に何列かのスナップボタンＲが配置されている。長方形の生地Ｚの裏側面Ｂには横方向３に沿った巾にわたってスナップボタンＳが１列設けられている。次に生地Ｚが扉の周りに巻き付けられる。これによりスリーブを閉じるにはスナップボタンを押すだけでよい。１列当たりのスナップボタンＲの数によりＺを異なる扉の高さに対して調節することができる。
【００１５】
ｄ−  弾性部材による結合（図１１および１２）
カバーＺ上のカバーの端に、縁３に沿って長さがフラップＡ’の約３分の１である１列の弾性部材Ｑが縫いつけられている。それから弾性部材Ｑの端がフラップＡ’の領域内に縫いつけられ、これによりスリーブが閉じられる（図１２）。次にスリーブＺを扉にその高さに沿って滑らせて取り付ける。弾性部材の弾力性によりスリーブはサイズの異なる扉に適応できる。
【００１６】
ｅ−  紐による結合（図１３および１４）
この図の事例では、カバーＺの長さは標準的な扉の高さの約２倍である。横方向の縁Bの３およびBの６には１列の小穴Ｔが設けられている。この実施形態においてスリーブはカバーを扉の周りに巻き付けて形作る（図１３）。スリーブを閉じるために紐Ｕまたはリボンを靴の場合の様に通しスリーブを扉の周りに締めつける（図１４）。紐の長さにより異なる扉の高さに適応することができる。
【００１７】
ｆ−  しなやかで弾力性のある素材（綿ジャージーの様に）によるドアスリーブで、狭い方の端部の縁と縁が縫い合わされてスリーブを形作る。素材の弾力性により異なる扉の高さに適応することができる。
【００１８】
たった今記載してきた本発明は、一般的に長方形で扉の周りに位置するスリーブの形にカバーを作るための取り付け具を備える様に設計されているため取り付けが簡単でかつ比較的切りつめた製造価格の、非常に単純な構造で扉の化粧を進めることを可能にしている。
製造価格はカバーが不織素材で作られる場合にはさらに低減することができる。
【００１９】
検討した別の実施形態において結合手段は、紐によるものでカバーの１方の端部に設けられ、他方の端部に設けられた対応する小穴に挿入し対応する紐と結ばれることを意図したもの、またはＶｅｌｃｒｏタイプの結合手段によるものでスリーブの外側面を作ることが意図されているカバーの面の両端、さらにスリーブの内側面を作ることが意図されているカバーの面の他方の端に設けられているもの、またはボタンおよびボタン穴式の結合手段によるものでそれぞれ互いにスリーブの反対側の端に設けられたもの、またはスナップボタン式の結合手段によるもの、または弾力性の紐よるものでカバーの互いに反対側の端を接続するもの、さらには紐によるものさえ、のいずれかで構成されている。
【００２０】
しかしながら、カバーに他のあらゆる結合手段を講じてこれをスリーブの形に作ることができる場合も本発明の適用範囲外ではない。
かくして、先に示した通り、互いにカバーの反対側の端が互いに縫い合わされ、ここにカバーが弾力的に変形可能な素材から作られている場合も本発明の適用範囲外ではない。
この場合、さらに先に述べたすべての他の結合手段またはＥｃｌａｉｒＴＭ 結合系の結合手段を用いることもできる。
【００２１】
同様に本発明は記載した実施形態に制約されない。
実際、先ず図１５を参照すると、変形として、カバーの一方の端部に一本以上の粘着テープＶを横断的にカバーの表側、つまりスリーブの外側面を構成する様に意図された面に設けることも可能で、この粘着剤はカバーの反対側の端部を受け止めることを意図している。
【００２２】
このような粘着テープはすべての適切な他の方法で作ることも可能で、例えば熱粘着テープを用いたりまたは両面接着素材を用いたりすることができる。さらにカバーからつきだして伸びる片面接着素材を用いることもできる。
同様に、図１６に見られる様に、結合手段はカバーの一方の端部に設けた舌状物付きのＷの様な一連の環で作り上げることもでき、それぞれがカバーの他方の端部に固定された穴付の帯状の紐Ｘと対になる様に意図されている。
【００２３】
最後に、図１７および１８に示す様に、カバーがＹおよびＹ’の様な一連のパネルから構成され、先に記載した様な結合システムＹ”によりスリーブを形づくる様に一緒に結合されている場合も本発明の適用範囲外ではない。
【図面の簡単な説明】
【００２４】
以下に示す添付図に関連して作成された記述を読むことにより本発明はよりよく理解されるであろう：
【図１】結合方式が紐またはリボンおよび小穴を含む扉カバーを示す図である。
【図２】結合方式にリボンおよび小穴を含む扉カバーで飾り立てた扉の表側を示す図である。
【図３】結合方式にリボンおよび小穴を含む扉カバーで飾り立てた扉の裏側を示す図である。
【図４】結合方式にＶｅｌｃｒｏテープを含む扉カバーの表側を示す図である。
【図５】結合方式にＶｅｌｃｒｏテープを含む扉カバーの裏側を示す図である。
【図６】結合方式がＶｅｌｃｒｏテープでできた扉カバーで化粧した扉を示す図である。
【図７】結合方式に一連のボタンおよびボタン穴を含む扉カバーを示す図である。
【図８】結合方式に一連のボタンおよびボタン穴の組み合わせを含む扉カバーで化粧した扉を示す図である。
【図９】結合方式に一連のスナップボタンを含む扉カバーの表側を示す図である。
【図１０】結合方式に一連のスナップボタンを含む扉カバーの裏側を示す図である。
【図１１】結合方式に弾性部材の列を含む扉カバーを示す図である。
【図１２】結合方式に弾性部材の列を含む扉カバーで化粧した扉を示す図である。
【図１３】結合方式に小穴および紐を含む扉カバーを示す図である。
【図１４】結合方式に小穴および紐を含む扉カバーで化粧した扉を示す図である。
【図１５】結合方式に粘着テープを含む扉カバーを示す図である。
【図１６】結合方式がベルトバックルおよび帯状の紐で形作られている本発明による装置の別の実施形態を示す図である。
【図１７】いくつかのパネルを細長い片で接続した形で装置が配列されている本発明による装置の別の実施形態を再度示す図である。
【図１８】いくつかのパネルを細長い片で接続した形で装置が配列されている本発明による装置の別の実施形態を再度示す図である。
【図１】
2008544117.tif 000003
【図２】
2008544117.tif 000004
【図３】
2008544117.tif 000005
【図４】
2008544117.tif 000006
【図５】
2008544117.tif 000007
【図６】
2008544117.tif 000008
【図７】
2008544117.tif 000009
【図８】
2008544117.tif 000010
【図９】
2008544117.tif 000011
【図１０】
2008544117.tif 000012
【図１１】
2008544117.tif 000013
【図１２】
2008544117.tif 000014
【図１３】
2008544117.tif 000015
【図１４】
2008544117.tif 000016
【図１５】
2008544117.tif 000017
【図１６】
2008544117.tif 000018
【図１７】
2008544117.tif 000019
【図１８】
2008544117.tif 000020
【国際調査報告】
2008544117.tif 000021
2008544117.tif 000022
2008544117.tif 000023
2008544117.tif 000024
2008544117.tif 000025
2008544117.tif 000026